(57)【要約】【課題】使用者の骨格や症状に即した適切なサポートを容易に実現することが可能な腰用サポーターを提供する。【解決手段】人体の腰部に巻き付けて使用される腰用サポーターにおいて、ベルト状のサポーター本体１０と、サポーター本体１０に取り付けられるパッドであって、仙骨部分を押圧するための第１のパッド４１、人体右側の殿筋群における上部又はその近傍を押圧するための第２のパッド４２、及び人体左側の殿筋群における上部又はその近傍を押圧するための第３のパッド４３とを備え、パッド４１〜４３は、サポーター本体１０に対する取付位置を調整可能である。【選択図】図１
2019090132.tif 000002
【特許請求の範囲】
【請求項１】
人体の腰部に巻き付けて使用される腰用サポーターにおいて、
ベルト状のサポーター本体と、
前記サポーター本体に取り付けられるパッドであって、仙骨部分を押圧するための第１のパッド、人体右側の殿筋群における上部又はその近傍を押圧するための第２のパッド、及び人体左側の殿筋群における上部又はその近傍を押圧するための第３のパッドとを備え、
前記第１〜第３のパッドは、前記サポーター本体に対する取付位置を調整可能であることを特徴とする腰用サポーター。
【請求項２】
請求項１に記載の腰用サポーターにおいて、
前記サポーター本体は、左右方向の中央の位置に形成された第１のパッド取付領域、前記第１のパッド取付領域の左側に所定の間隔を置いて形成された第２のパッド取付領域、及び前記第１のパッド取付領域の右側に前記所定の間隔を置いて形成された第３のパッド取付領域を有するとともに、前記第１のパッド取付領域と前記第２のパッド取付領域の間、及び前記第１のパッド取付領域と前記第３のパッド取付領域の間に位置ズレ防止部材を有し、
前記第１〜第３のパッド取付領域及び前記位置ズレ防止部材は、上下方向に延びた縦長形状であることを特徴とする腰用サポーター。
【請求項３】
請求項１に記載の腰用サポーターにおいて、
前記サポーター本体は、左右方向の中央の位置に形成された第１のパッド取付領域、前記第１のパッド取付領域の左側に所定の間隔を置いて形成された第２のパッド取付領域、及び前記第１のパッド取付領域の右側に前記所定の間隔を置いて形成された第３のパッド取付領域を有するとともに、前記第１のパッド取付領域と前記第２のパッド取付領域の間、前記第１のパッド取付領域と前記第３のパッド取付領域の間、前記第２のパッド取付領域の左側、及び前記第３のパッド取付領域の右側に補強部材を有し、
前記第１〜第３のパッド取付領域及び前記補強部材は、上下方向に延びた縦長形状であることを特徴とする腰用サポーター。
【請求項４】
請求項１乃至請求項３のいずれかに記載の腰用サポーターにおいて、
前記サポーター本体は、前記第１〜第３のパッドが取り付けられる背面部と、前記背面部の左右に設けられて人体側面にあたる側面部とを有し、
前記側面部は、前記背面部より高い伸縮性を有することを特徴とする腰用サポーター。
【請求項５】
請求項１乃至請求項４のいずれかに記載の腰用サポーターにおいて、
前記サポーター本体は、腹部上方に掛け回される第１の補助ベルトと、腹部下方に掛け回される第２の補助ベルトとを備えることを特徴とする腰用サポーター。
【発明の詳細な説明】
【技術分野】
【０００１】
本発明は、人体の腰部に巻き付けて使用される腰用サポーターに関する。
【背景技術】
【０００２】
腰椎、骨盤、仙骨に付随するインナーマッスル（深層筋）として、大殿筋、中殿筋、小殿筋の殿筋群がある。歩行や坐位における殿筋群の疲労の原因は、骨盤の不安定要素が強く現れるトレンデレンブルグ兆候やドゥシャンヌ兆候にあると多くの臨床で判明している。トレンデレンブルグ兆候は、患側での片側立位において反対側の骨盤が下がる兆候である。ドゥシャンヌ兆候は、患側での片側立位において体幹を立位側に傾けると反対側の骨盤が上がる兆候である。これらの兆候が発生する要因として、立位や歩行の片足時や坐位の左右の変化により、骨盤が傾いて不安定な状況となる現象が挙げられる。このような不安定な状況が続くと、仙腸関節に影響が出て腰椎の歪みや変形が発生し、腰部と骨盤を繋ぐ靭帯や筋肉の大きな負担となり、身体のバランスが崩れて腰痛の原因となる。
【０００３】
腰痛の対策として、立位や坐位の姿勢を保持するのに重要なインナーマッスルである殿筋群のリハビリが大切ではあるが、このようなリハビリを個人が日常生活で実施することは難しい。また、この部位のコントロールには、人体の骨格に即した各部位の固定が必要であることは、多くの腰用サポート具が製作されている事実が物語っている。例えば、特許文献１，２には、ベルトのように腰部に巻き付けて使用される腰用サポーターが開示されている。
【先行技術文献】
【特許文献】
【０００４】
【特許文献１】特開２００４−２７７９３６号公報
【特許文献２】特開２０１３−１３６８５４号公報
【発明の概要】
【発明が解決しようとする課題】
【０００５】
腰用サポーターは、使用者の腰部を締め付けることで骨盤をサポートし、骨盤を安定させるとともに腹筋や背筋の働きを補助することで、腰痛を軽減させる仕組みとなっている。しかしながら、従来の腰用サポーターは、骨格に個人差があることをあまり考慮されておらず、その人の骨格に即した部位を適切にサポートすることが困難であった。また、その人の骨格に合わせてオーダーメイドの腰用サポーターを製作する場合もあるが、高価である上、身体のバランスが変化すると使用効果が落ちてしまうという問題があった。
【０００６】
本発明は、上記のような従来の事情に鑑みて為されたものであり、使用者の骨格や症状に即した適切なサポートを容易に実現することが可能な腰用サポーターを提供することを目的とする。
【課題を解決するための手段】
【０００７】
上記目的を達成するために、本発明に係る腰用サポーターは、以下のような特徴を備えている。
（１）  人体の腰部に巻き付けて使用される腰用サポーターにおいて、ベルト状のサポーター本体と、前記サポーター本体に取り付けられるパッドであって、仙骨部分を押圧するための第１のパッド、人体右側の殿筋群における上部又はその近傍を押圧するための第２のパッド、及び人体左側の殿筋群における上部又はその近傍を押圧するための第３のパッドとを備え、前記第１〜第３のパッドは、前記サポーター本体に対する取付位置を調整可能であることを特徴とする。
【０００８】
（２）  上記（１）に記載の腰用サポータにおいて、前記サポーター本体は、左右方向の中央の位置に形成された第１のパッド取付領域、前記第１のパッド取付領域の左側に所定の間隔を置いて形成された第２のパッド取付領域、及び前記第１のパッド取付領域の右側に前記所定の間隔を置いて形成された第３のパッド取付領域を有するとともに、前記第１のパッド取付領域と前記第２のパッド取付領域の間、及び前記第１のパッド取付領域と前記第３のパッド取付領域の間に位置ズレ防止部材を有し、前記第１〜第３のパッド取付領域及び前記位置ズレ防止部材は、上下方向に延びた縦長形状であることを特徴とする。
【０００９】
（３）  上記（１）に記載の腰用サポータにおいて、前記サポーター本体は、左右方向の中央の位置に形成された第１のパッド取付領域、前記第１のパッド取付領域の左側に所定の間隔を置いて形成された第２のパッド取付領域、及び前記第１のパッド取付領域の右側に前記所定の間隔を置いて形成された第３のパッド取付領域を有するとともに、前記第１のパッド取付領域と前記第２のパッド取付領域の間、前記第１のパッド取付領域と前記第３のパッド取付領域の間、前記第２のパッド取付領域の左側、及び前記第３のパッド取付領域の右側に補強部材を有し、前記第１〜第３のパッド取付領域及び前記補強部材は、上下方向に延びた縦長形状であることを特徴とする。
【００１０】
（４）  上記（１）〜（３）に記載の腰用サポータにおいて、前記サポーター本体は、前記第１〜第３のパッドが取り付けられる背面部と、前記背面部の左右に設けられて人体側面にあたる側面部とを有し、前記側面部は、前記背面部より高い伸縮性を有することを特徴とする。
【００１１】
（５）  上記（１）〜（４）に記載の腰用サポータにおいて、前記サポーター本体は、腹部上方に掛け回される第１の補助ベルトと、腹部下方に掛け回される第２の補助ベルトとを備えることを特徴とする。
【発明の効果】
【００１２】
本発明によれば、各パッドのサポーター本体に対する取付位置を任意に調整できるので、使用者の骨格や症状に即した適切なサポートを容易に実現することが可能な腰用サポーターを提供することができる。
【図面の簡単な説明】
【００１３】
【図１】本発明の一実施形態に係る腰用サポーターの正面図である。
【図２】図１の腰用サポーターの背面図である。
【図３】骨盤の左右の歪みに合わせたパッド配置例を示す背面透視図である。
【図４】反り腰の骨格の全体像を示す側面図である。
【図５Ａ】反り腰に合わせたパッド配置例を示す背面透視図である。
【図５Ｂ】反り腰に合わせたパッド配置例を示す側面透視図である。
【図６】曲り腰の骨格の全体像を示す側面図である。
【図７Ａ】曲り腰に合わせたパッド配置例を示す背面透視図である。
【図７Ｂ】曲り腰に合わせたパッド配置例を示す側面透視図である。
【図８】横向きのパッド配置例を示す側面透視図である。
【図９Ａ】図１の腰用サポーターの装着手順を示す図である。
【図９Ｂ】図１の腰用サポーターの装着手順を示す図である。
【発明を実施するための形態】
【００１４】
本発明に係る腰用サポーターは、骨盤の左右の動き及び前後の動きに対し、その人物の骨格や症状に合わせてサポート位置（パッドの取付位置）を任意に調整可能にして、インナーマッスルである殿筋群（大殿筋、中殿筋、小殿筋）及び腰椎に繋がる仙腸関節の各部位を的確に押圧して安定させることで、崩れた体バランスを整え、腰部の不安定な状況を改善できるように設計されている。
以下、本発明に係る腰用サポーターについて、一実施形態を挙げつつ具体的に説明する。なお、本明細書では、腰用サポーターの人体にあたる側の面を内面とし、その裏側の面を外面として説明する。
【００１５】
図１には、本発明の一実施形態に係る腰用サポーターの正面図を示してあり、図２には、その背面図を示してある。
本例の腰用サポーターは、人体の腰部に巻き付けられるベルト状のサポーター本体１０と、サポーター本体１０に取り付けられる複数のパッド４１〜４３とを備える。図３に示すように、第１のパッド４１は、人体の仙骨５１に対応して配置され、第２のパッド４２は、人体右側の殿筋群（大殿筋５２、中殿筋５３、小殿筋５４）における上部又はその近傍に対して配置され、第３のパッド４３は、人体左側の殿筋群における上部又はその近傍に対して配置される。殿筋群の上部又はその近傍は、腰痛の原因となるトリガーポイントが発生し易い部位であり、これらの部位と仙骨部分をパッド４１〜４３でバランス良くサポートすることが好ましい。
【００１６】
サポーター本体１０は、パッド４１〜４３が取り付けられる背面部１１、内面から見て背面部１１の左側に延びる側面部１２と前面部１３、及び背面部１１の右側に延びる側面部１４と前面部１５で構成される。サポーター本体１０を使用者の腰部に巻き付けると、背面部１１が腰部背面にあたり、側面部１２，１４が腰部側面にあたり、前面部１３，１５が腰部前面にあたることになる。前面部１３，１５には面ファスナーを設けてあるので、使用者は、腰部前面で面ファスナー同士を貼り合わせることで、腰用サポーターを安定的に装着することができる。本例では、左右にある前面部１３，１５の外面全体に面ファスナーのループ面を設け、一方の前面部１３の端部内面に面ファスナーのフック面を設けてある。また、本例のサポーター本体１０は、メッシュ状の布地をベースにして形成されており、側面部１２，１４を背面部１１や前面部１３，１５より高い伸縮性を持つ素材にして、側面部１２，１４を縦横上下に延ばせるようにしてある。
【００１７】
サポーター本体１０の背面部１１の内面には、左右方向の中央の位置に形成された第１のパッド取付領域２１と、中央パッド取付領域２１の左側に所定の間隔を置いて形成された第２のパッド取付領域２２と、中央パッド取付領域の右側に所定の間隔を置いて形成された第３のパッド取付領域２３とを設けてある。また、第１のパッド取付領域２１と第２のパッド取付領域２２の間に第１の位置ズレ防止部材２４及び第１の補強部材２６を重ねて設けるとともに、第１のパッド取付領域２１と第３のパッド取付領域２３の間に第２の位置ズレ防止部材２５及び第２の補強部材２７を重ねて設けてある。更に、第２のパッド取付領域２２の左側に第３の補強部材２８を設けるとともに、第３のパッド取付領域２３の右側に第４の補強部材２９を設けてある。なお、ここでいう右側及び左側は、内面から見た場合の右側及び左側を意味しており、人体の右側及び左側とは逆になる。
【００１８】
第１のパッド取付領域２１には、仙骨部分を押圧するための第１のパッド４１が取り付けられる。第２のパッド取付領域２２には、人体右側の殿筋群における上部又はその近傍を押圧するための第２のパッド４２が取り付けられる。第３のパッド取付領域２３には、人体左側の殿筋群における上部又はその近傍を押圧するための第３のパッド４３が取り付けられる。なお、上述したパッド取付領域２１〜２３とパッド４１〜４３の対応関係は、説明の便宜のために特定しているに過ぎず、実際には、任意のパッドを任意のパッド取付領域に取り付けることができる。
【００１９】
パッド取付領域２１〜２３は、上下方向に延びた縦長形状であり、本例では、サポーター本体１０の上下方向の略全体にわたって形成してある。また、位置ズレ防止部材２４〜２５及び補強部材２６〜２９も、パッド取付領域２１〜２４と同様に上下方向に延びた縦長形状であり、サポーター本体１０の上下方向の略全体にわたって形成してある。本例では、パッド取付領域２１〜２３の幅を約３ｃｍとし、互いの間隔を約８ｃｍとしてある。また、位置ズレ防止部材２４〜２５の幅を約５ｃｍとし、補強部材２６〜２９の幅を約２ｃｍとしてある。
【００２０】
パッド取付領域２１〜２３及びパッド４１〜４３には面ファスナーを設けてあるので、パッド４１〜４３をパッド取付領域２１〜２３の任意の位置に取り付けることができる。すなわち、パッド４１〜４３のサポーター本体１０に対する取付位置を、使用者の骨格や症状に即して調整することができる。本例では、パッド取付領域２１〜２３に面ファスナーのループ面を形成し、パッド４１〜４３に面ファスナーのフック面を形成してある。
【００２１】
本例のパッド４１〜４３は、左右方向の長さが７〜９ｃｍ程度、上下方向の長さが９〜１０ｃｍ程度の卵型形状としているが、これに限定されないことは言うまでもない。また、本例では、パッド４１〜４３を人体の肉組織に近い特性を持つ粘弾性化合物ウレタンで形成することで、使用者の各部をあたかも人の手で押さえつけたような感覚が得られるようにしてある。なお、使用者の各部を適度な圧力で押圧できればよいため、ある程度の粘弾性を有する他の素材（例えば、合成ゴムやシリコンなど）を用いてパッド４１〜４３を形成しても構わない。
【００２２】
位置ズレ防止部材２４，２５は、歩行時にサポーター本体１０が上下に移動してしまう位置ズレを防止するものであり、人体の腰椎の左右部分にあたるように設けられる。位置ズレ防止部材２４，２５は、人体の動きに追従して変形できるように、例えば、パッド４１〜４３と同様に弾性化合物ウレタンで形成される。なお、合成ゴムやシリコンなどの他の素材で位置ズレ防止部材２４，２５を形成してもよい。
【００２３】
補強部材２６〜２９は、サポーター本体１０を構造的に補強するものであり、ある程度の強度を持つ素材で形成される。本例では、補強部材２６〜２９として、軟質プラスチックバーを取り付けてあるが、アルミやウレタン等の他の素材で補強部材２６〜２９を形成してもよい。また、補強部材２６〜２９の取付部の表面にはゴム等の滑り止め部材を設けてあり、上下及び左右の位置ズレをより効果的に防止できるようにしている。
【００２４】
更に、サポーター本体１０には、図２に示すように、腹部上方に掛け回される第１の補助ベルトと、腹部下方に掛け回される第２の補助ベルトとが取り付けられている（図１では省略）。第１の補助ベルトは、サポーター本体１０の外面の中央上部から右側に延びる部位２１と、サポーター本体１０の外面の中央上部から左側に延びる部位２２とで構成される。第２の補助ベルトは、サポーター本体１０の外面の中央下部から右側に延びる部位２３と、サポーター本体１０の外面の中央下部から左側に延びる部位２４とで構成される。
【００２５】
第１の補助ベルト及び第２の補助ベルトは、サポーター本体１０よりも短くしてある。また、第１の補助ベルトと第２の補助ベルトは長さを異ならせており、本例では、第２の補助ベルトを第１の補助ベルトよりも若干長くしてある。なお、第１の補助ベルトを第２の補助ベルトよりも長くした構造や、これらの長さを同じにした構造であってもよい。第１の補助ベルト及び第２の補助ベルトの端部内面には面ファスナーのフック面を形成してあり、サポーター本体１０の前面部１３，１５の外面に設けた面ファスナーのループ面に貼着させることができる。なお、第２の補助ベルトの端部外面に面ファスナーのループ面を形成して、第２の補助ベルトに対して第１の補助ベルトを貼着できるようにしてもよい。或いは逆に、第１の補助ベルトの端部外面に面ファスナーのループ面を形成して、第１の補助ベルトに対して第２の補助ベルトを貼着できるようにしてもよい。
【００２６】
次に、図３〜図８を参照して、パッドの配置位置について説明する。
図３は、人体の左右方向における骨格の歪みに合わせたパッド配置例を示す背面透視図である。図３の例では、骨盤の右側が上がって左側が下がっている人物に合うように、人体右側にあてられる第２のパッド４２を、人体左側にあてられる第３のパッド４３よりも上方の位置に取り付けてある。
【００２７】
図４には、人体の前後方向における骨格の歪みの例として、反り腰の骨格の全体像を側面図で示してある。図５Ａ及び図５Ｂは、反り腰の場合のパッド配置例を示す背面透視図及び側面透視図である。
反り腰の場合には、図４に示すように、正常な場合に比べて腰椎及び骨盤が前方に傾斜した姿勢となる。その結果、第１のパッド４１をあてるべき仙骨部分と、第２及び第３のパッド４２，４３をあてるべき殿筋群の上部付近とは、上下方向（人体の高さ方向）における位置関係が正常な場合よりも離れることになる。そこで、反り腰の場合には、第１のパッド４１と第２及び第３のパッド４２，４３とを、上下方向の位置を比較的離して配置すればよい。
【００２８】
図６には、人体の前後方向における骨格の歪みの別の例として、曲り腰の骨格の全体像を側面図で示してある。図７Ａ及び図７Ｂは、曲り腰の場合のパッド配置例を示す背面透視図及び側面透視図である。
曲り腰の場合には、図６に示すように、正常な場合に比べて腰椎及び骨盤が後方に傾斜した姿勢となる。その結果、第１のパッド４１をあてるべき仙骨部分と、第２及び第３のパッド４２，４３をあてるべき殿筋群の上部付近とは、上下方向（人体の高さ方向）における位置関係が正常な場合よりも近づくことになる。そこで、曲り腰の場合には、第１のパッド４１と第２及び第３のパッド４２，４３とを、上下方向の位置を比較的近づけて配置すればよい。
【００２９】
図８は、横向きのパッド配置例を示す側面透視図である。同図では、人体右側の第２のパッド４２を右向きにしてある。このように、本例の腰用サポーターは、パッドの取付位置だけでなくパッドの向きも自由に調整することができる。従って、左右の殿筋群において押圧すべき位置がパッド取付領域から若干外れている場合にも、パッドの向きを調整することで押圧できるようになる。これにより、想定している骨盤サイズよりも骨盤が大きい人や小さい人であっても、本例の腰用サポーターを使用することができる。
【００３０】
次に、図９Ａ及び図９Ｂを参照して、本例の腰用サポーターの装着手順について説明する。なお、サポーター本体１０にパッド４１〜４３が取り付けられているものとする。
まず、サポーター本体１０を使用者の腰部に巻き付け、サポーター本体１０の端部（前面部１３，１５）同士を腰部前面で面ファスナーで貼り合わせる。次に、図９Ａに示すように、第２の補助ベルト（２３，２４）を腹部下方に掛け回し、腰部前面でサポーター本体１０の端部に面ファスナーで貼り合わせる。次に、図９Ｂに示すように、第１の補助ベルト（２１，２２）を腹部上方に掛け回し、腰部前面でサポーター本体１０の端部に面ファスナーで貼り合わせる。これにより、使用者の腰部に腰用サポーターを安定的に取り付けることができる。
【００３１】
以上のように、本例の腰用サポーターは、ベルト状のサポーター本体１０と、サポーター本体１０に取り付けられるパッドであって、仙骨部分を押圧するための第１のパッド４１、人体右側の殿筋群における上部又はその近傍を押圧するための第２のパッド４２、及び人体左側の殿筋群における上部又はその近傍を押圧するための第３のパッド４３とを備え、パッド４１〜４３は、サポーター本体１０に対する取付位置を調整可能である。従って、骨盤部分の３次元的な動きに対して適切なサポートを提供することができ、反り腰、曲り腰、骨盤の左右の捻じれ等による胸腰筋膜、大殿筋、中殿筋、小殿筋への負担を軽減することが可能となる。
【００３２】
また、本例の腰用サポーターにおけるサポーター本体１０は、左右方向の中央の位置に形成された第１のパッド取付領域２１と、第１のパッド取付領域２１の左側に所定の間隔を置いて形成された第２のパッド取付領域２２と、第１のパッド取付領域２１の右側に所定の間隔を置いて形成された第３のパッド取付領域２３とを有しており、パッド取付領域２１〜２３は上下方向に延びた縦長形状となっている。従って、各パッドを上下方向の任意の位置に取り付けることができ、使用者の骨格や症状に応じた適切な位置を押圧して腰部の負担を軽減することができる。
【００３３】
また、本例の腰用サポーターにおけるサポーター本体１０は、第１のパッド取付領域２１と第２のパッド取付領域２２の間、及び第１のパッド取付領域２１と第３のパッド取付領域２３の間に位置ズレ防止部材２４〜２５を有しており、位置ズレ防止部材２４〜２５はパッド取付領域２１〜２３と同様に上下方向に延びた縦長形状となっている。従って、腰用サポーターが人体に対して上下方向に移動することを抑制でき、歩行時などに各パッドの位置がずれてサポート能力が低下してしまうことを防止することができる。
【００３４】
また、本例の腰用サポーターにおけるサポーター本体１０は、第１のパッド取付領域２１と第２のパッド取付領域２２の間、第１のパッド取付領域２１と第３のパッド取付領域２３の間、第２のパッド取付領域２２の左側、及び第３のパッド取付領域２３の右側に補強部材２６〜２９を有しており、補強部材２６〜２９はパッド取付領域２１〜２３と同様に上下方向に延びた縦長形状となっている。従って、腰用サポーターを構造的に補強することができる。
【００３５】
また、本例の腰用サポーターにおけるサポーター本体１０は、パッド４１〜４３が取り付けられる背面部１１と、背面部１１の左右に設けられて人体側面にあたる側面部１２，１４とを有しており、側面部１２，１４は背面部１１より高い伸縮性を有する構造となっている。従って、使用者の体型に沿って腰用サポーターをフィットさせることができ、腰回りの大きい人や小さい人、曲り腰や反り腰の人など、様々な体型や症状の人に対して効果的なサポートを提供することが可能となる。
【００３６】
また、本例の腰用サポーターにおけるサポーター本体１０は、腹部上方に掛け回される第１の補助ベルト（３１，３２）と、腹部下方に掛け回される第２の補助ベルトとを備えた構造となっている。従って、使用者の腹部の圧迫を防ぎつつ、各パッドの固定力を高めることができる。
【００３７】
以上、一実施形態を挙げて本発明について説明したが、本発明は上述した内容に限定されず、本発明の趣旨を逸脱しない範囲で適宜設計変更することが可能である。
【産業上の利用可能性】
【００３８】
本発明は、人体の腰部に巻き付けて使用される種々の形態の腰用サポーターに利用することができる。
【符号の説明】
【００３９】
１０：サポーター本体、  １１：背面部、  １２，１４：側面部、  １３，１５：前面部、  ２１〜２３：パッド取付領域、  ２４〜２５：位置ズレ防止部材、  ２６〜２９：補強部材、  ３１〜３４：補助ベルト、  ４１〜４３：パッド、  ５１：仙骨、  ５２：大殿筋、  ５３：中殿筋、  ５４：小殿筋
【図１】
2019090132.tif 000003
【図２】
2019090132.tif 000004
【図３】
2019090132.tif 000005
【図４】
2019090132.tif 000006
【図５Ａ】
2019090132.tif 000007
【図５Ｂ】
2019090132.tif 000008
【図６】
2019090132.tif 000009
【図７Ａ】
2019090132.tif 000010
【図７Ｂ】
2019090132.tif 000011
【図８】
2019090132.tif 000012
【図９Ａ】
2019090132.tif 000013
【図９Ｂ】
2019090132.tif 000014
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
人体の腰部に巻き付けて使用される腰用サポーターにおいて、
ベルト状のサポーター本体と、
人体左右の殿筋群及び腰椎に繋がる仙腸関節の３つの部位のバランスを整えるために前記サポーター本体に取り付けられるパッドであって、仙骨部分を押圧するための第１のパッド、人体右側の殿筋群における上部又はその近傍を押圧するための第２のパッド、及び人体左側の殿筋群における上部又はその近傍を押圧するための第３のパッドとを備え、
前記サポーター本体は、左右方向の中央の位置に形成された第１のパッド取付領域、前記第１のパッド取付領域の左側に所定の間隔を置いて形成された第２のパッド取付領域、及び前記第１のパッド取付領域の右側に所定の間隔を置いて形成された第３のパッド取付領域を有し、
前記第１〜第３のパッドは、前記第１〜第３のパッド取付領域のそれぞれの範囲内で取付位置を調整可能であることを特徴とする腰用サポーター。
【請求項２】
請求項１に記載の腰用サポーターにおいて、
前記第１〜第３のパッドで、仙骨部分、人体右側の殿筋群における上部又はその近傍、及び人体左側の殿筋群における上部又はその近傍のそれぞれを覆うようにして押圧することを特徴とする腰用サポーター。
【請求項３】
請求項１又は請求項２に記載の腰用サポーターにおいて、
前記サポーター本体は、前記第１のパッド取付領域と前記第２のパッド取付領域の間、及び前記第１のパッド取付領域と前記第３のパッド取付領域の間に位置ズレ防止部材を有するとともに、前記第１のパッド取付領域と前記第２のパッド取付領域の間、前記第１のパッド取付領域と前記第３のパッド取付領域の間、前記第２のパッド取付領域の左側、及び前記第３のパッド取付領域の右側に補強部材を有し、
前記第１〜第３のパッド取付領域、前記位置ズレ防止部材及び前記補強部材は、上下方向に延びた縦長形状であることを特徴とする腰用サポーター。
【請求項４】
請求項１乃至請求項３のいずれかに記載の腰用サポーターにおいて、
前記サポーター本体は、前記第１〜第３のパッドが取り付けられる背面部と、前記背面部の左右に設けられて人体側面にあたる側面部とを有し、
前記側面部は、前記背面部より高い伸縮性を有することを特徴とする腰用サポーター。
【請求項５】
請求項１乃至請求項４のいずれかに記載の腰用サポーターにおいて、
前記サポーター本体は、腹部上方に掛け回される第１の補助ベルトと、腹部下方に掛け回される第２の補助ベルトとを備えることを特徴とする腰用サポーター。
【手続補正２】
【補正対象書類名】明細書
【補正対象項目名】０００７
【補正方法】変更
【補正の内容】
【０００７】
上記目的を達成するために、本発明に係る腰用サポーターは、以下のような特徴を備えている。
（１）  人体の腰部に巻き付けて使用される腰用サポーターにおいて、ベルト状のサポーター本体と、人体左右の殿筋群及び腰椎に繋がる仙腸関節の３つの部位のバランスを整えるために前記サポーター本体に取り付けられるパッドであって、仙骨部分を押圧するための第１のパッド、人体右側の殿筋群における上部又はその近傍を押圧するための第２のパッド、及び人体左側の殿筋群における上部又はその近傍を押圧するための第３のパッドとを備え、前記サポーター本体は、左右方向の中央の位置に形成された第１のパッド取付領域、前記第１のパッド取付領域の左側に所定の間隔を置いて形成された第２のパッド取付領域、及び前記第１のパッド取付領域の右側に所定の間隔を置いて形成された第３のパッド取付領域を有し、前記第１〜第３のパッドは、前記第１〜第３のパッド取付領域のそれぞれの範囲内で取付位置を調整可能であることを特徴とする。
【手続補正３】
【補正対象書類名】明細書
【補正対象項目名】０００８
【補正方法】変更
【補正の内容】
【０００８】
（２）  上記（１）に記載の腰用サポータにおいて、前記第１〜第３のパッドで、仙骨部分、人体右側の殿筋群における上部又はその近傍、及び人体左側の殿筋群における上部又はその近傍のそれぞれを覆うようにして押圧することを特徴とする。
【手続補正４】
【補正対象書類名】明細書
【補正対象項目名】０００９
【補正方法】変更
【補正の内容】
【０００９】
（３）  上記（１）又は（２）に記載の腰用サポータにおいて、前記サポーター本体は、前記第１のパッド取付領域と前記第２のパッド取付領域の間、及び前記第１のパッド取付領域と前記第３のパッド取付領域の間に位置ズレ防止部材を有するとともに、前記第１のパッド取付領域と前記第２のパッド取付領域の間、前記第１のパッド取付領域と前記第３のパッド取付領域の間、前記第２のパッド取付領域の左側、及び前記第３のパッド取付領域の右側に補強部材を有し、前記第１〜第３のパッド取付領域、前記位置ズレ防止部材及び前記補強部材は、上下方向に延びた縦長形状であることを特徴とする。